(57)【要約】【課題】包装袋１０の様態に応じ効率的で利便性の高い卓上押し出し装置を提供する。【解決手段】直立板部Ａ間に構成されるガイド・レール装置内において左方向に平滑移動する平板６面上の包装袋１０に収納される柔軟性物質１０’を押し出すため左右の直立板部Ａの所定位置に固定される回動自在の固定堰として設けられるローラ３と、ローラ３を介しての押し出し動作がガイド・レール装置内を平板６が押し出し機能を損なうことなく所定の平滑移動が容易に行えるようにするため、平板６下部の左右端部で長さ方向に平板６面上の柔軟性物質１０’が押し出される右方向と逆の左方向に該平板を平滑移動させる形状を有して構成される左右の爪歯部８と、この左右の爪歯部８と組み合う爪歯車９とで所定のラチエット機構を構成し、この爪歯車９を回すハンドル２を一方側の直立板部に設ける。【選択図】図２
2014169118.tif 000002
【特許請求の範囲】
【請求項１】
柔軟性物質を収納する包装袋の端部を一方側の端部に固定する略長方形を有する平板の長さ方向の左右端部側を、それぞれに移動自在に挿む枠部の左右下側端部間を連結する底板部を中央部寄りにして枠部の左右側に直立板部を一体構成することで、この直立板部間に該平板の水平移動自在を可能として構成されるガイド・レール装置と、このガイド・レール装置内において左方向に平滑移動する平板面上の包装袋に収納される柔軟性物質を押し出すため左右の直立板部の所定位置に設けられる回転自在のシャフトを介して固定される回転自在の固定堰として設けられるローラの装置と、からなることを特徴とする卓上押し出し装置。
【請求項２】
請求項１のローラの装置が、ガイド・レール装置内の平板面と当接するローラをシャフトを介して回転自在で固定取付する左右の直立板部に、シャフトの固定位置を起点としてローラにより平板面上で端部を固定される包装袋から柔軟性物質が押し出される右方向へ該シャフトの回転を損なうことなく若干上方に所定のカーブが構成されるガイド溝と、ガイド・レール装置内における平板面上の柔軟性物質収納の包装袋端部の高さ寸法に応じて押し出し始めのローラ当接高さ位置を設定するため、回転機能を妨げることなくシャフトの左右端部をガイド溝内において移動可能とする操作レバーと、を設けてなることを特徴とする請求項１記載の卓上押し出し装置。
【請求項３】
ローラの装置を介しての押し出し動作において、ガイド・レール装置内を平板が押し出し機能を損なうことなく所定の平滑移動が容易に行えるようにするため、平板下部の左右端部で長さ方向に平板面上の柔軟性物質が押し出される右方向と逆の左方向に該平板を平滑移動させる形状を有して構成される左右の爪歯部と、この左右の爪歯部と組み合い一方方向の回転を行う爪歯車とで所定のラチエット機構を構成し、この左右の爪歯車と同一シャフトを中心軸とするハンドルを一方側の直立板部に設けたことを特徴とする請求項１，２記載の卓上押し出し装置。
【発明の詳細な説明】
【技術分野】
【０００１】
本発明は、包装袋に収納された柔軟性物質を押し出す卓上押し出し装置に関するものである。
【背景技術】
【０００２】
従来包装袋などに収納される柔軟性物質を押し出す手段は、手指を用いる簡易なものは別として、主としてローラを押して回転させ包装袋から柔軟性物質を押し出す様々な装置が実用に供されている。
いずれもローラの横に設けられた取っ手を介してローラを回転させながら移動させることで、ローラの移動操作に労力と時間を要し、非効率でもある。
【０００３】
それに、装置そのものが比較的大型の形状のものや必要とする用具が一体化されていないものなど、また、柔軟性を有する包装袋に収納され柔軟性物質を押し出すようにされた大小さまざまなレトルト食品が多く見られなど、食においても多様化されている一般家庭での応用利用などにおいて例えば食卓上における利用においては利便性に乏しいものと考えられるものである。
【先行技術文献】
【特許文献】
【０００４】
【特許文献１】特開２００６-３２１５３７号
【発明の開示】
【発明が解決しようとする課題】
【０００５】
解決しようとする課題は、ローラを押して回転させながら移動させて包装袋から柔軟性物質を押し出すような方法装置ではなく、卓上利用可能とする効率的な押し出し装置を提供することにある。
【課題を解決するための手段】
【０００６】
本発明は、柔軟性物質を収納する包装袋の端部を一方側の端部に固定する略長方形を有する平板の長さ方向の左右端部側を、それぞれに移動自在に挿む枠部の左右下側端部間を連結する底板部を中央部寄りにして枠部の左右側に直立板部を一体構成することで、この直立板部間に該平板の水平移動自在を可能として構成されるガイド・レール装置と、このガイド・レール装置内において左方向に平滑移動する平板面上の包装袋に収納される柔軟性物質を押し出すため左右の直立板部の所定位置に回転自在のシャフトを介して固定される回転自在の固定堰として設けられるローラの装置と、ローラの装置を介しての押し出し動作がガイド・レール装置内を平板が押し出し機能を損なうことなく所定の平滑移動が容易に行えるようにするため、平板下部の左右端部で長さ方向に平板面上の柔軟性物質が押し出される右方向と逆の左方向に該平板を平滑移動させる形状を有して構成される左右の爪歯部と、この左右の爪歯部と組み合い一方方向の回転を行う爪歯車とで所定のラチエット機構を構成し、この左右の爪歯車と同一シャフトを中心軸とするハンドルを一方側の直立板部に設けたことを最も主要な特徴とする。これによりローラを押して回転させながら移動させて包装袋から柔軟性物質を押し出すというような方法装置ではなく、食卓上で利用可能とする利便性かつ効率的な卓上押し出し装置を提供するという目的を実現した。
【発明の効果】
【０００７】
本発明の卓上押し出し装置は、柔軟性物質を収納する包装袋の一端を一方の端部に固定する略長方形の平板を水平移動可能とするガイド・レール装置を構成する左右の直立板部に、このガイド・レール装置内を所定の方向で平滑移動する平板面上の包装袋から柔軟性物質を押し出すために設けられる回転自在の固定堰としてのローラの装置を構成したことは機能的に大いに優れている。
【０００８】
請求項２のローラの装置に、ガイド・レール装置内における平板面上の柔軟性物質収納の包装袋端部の高さ寸法に応じて押し出し始めの当接位置を設定するため、ローラのシャフトの固定位置を起点として柔軟性物質が押し出される右方向へ若干上方に該シャフトの回転機能を妨げることなく所定長さのガイド溝を直立板部の左右に構成したことは、回転自在の固定堰としての更なる機能構成に大いに優れている。
【０００９】
請求項３のローラの装置を介しての押し出し動作において、ガイド・レール装置内を平板が押し出し機能を損なうことなく所定の平滑移動が容易に行えるようにするため、平板下部の所定位置に所定方向に作用する爪歯部を設けこれと組み合う爪歯車とでラチエット機能を構成し直立板部の一方側にこの爪歯車を回転させるハンドルを設けたことは卓上押し出し装置としての機能性と利便性に大いに優れている。
【実施例１】
【００１０】
卓上押し出し装置において、回動自在の固定堰として設けられたローラ３の装置と組み合う平板６をガイド・レール装置内で所定の方向に平滑移動可能とするため、平板６下部に設ける爪歯部８と作用する爪歯車９とからなるラチエット機構を採用した本発明の一実施例で、図１は本発明に係る上面図、図２は図１の後面図、図３は図１の側面図で、図４は本発明に係る柔軟性物質１０’収納の包装袋１０の端部を平板６の一方側端部に固定する押さえ具７及び平板６の下部に一体構成される爪歯部８部分の説明図である。
以下図面に基づいて詳細に説明する。
【００１１】
略長方形で所定の厚さを有しその下部左右端部位置に長さ方向に一方方向の移動を可能とする若干幅の爪歯部８を構成する平板６をそれぞれに長さ方向で支える枠部１’をそれぞれ左右の直立板部Ａに一体構成するが、平板６の下部に設けられる爪歯部８の下部全面を支える下側の枠部１’の左右端部間を所定の長さ方向寸法を有する底板部１”で連結することにより、平板６を水平移動可能とする所要のガイド・レール装置が左右の直立板部Ａ間に構成されるが、このガイド・レール装置は平板６を上方へ逸脱させることなくガイド・レール装置を構成する左右の上側の枠部１’上面と平板６上面とに段差なく所要の平面が構成されているものである。
なお、左右直立板部Ａの間を連結する連結部材１を所定位置に設けることで、底板部１”と共に左右の直立板部Ａの安定を確保しガイド・レール装置機能を損なうことなく平板６のガイド・レール装置における所要の平滑移動が妨げられることなくスムーズに行われるものである。
【００１２】
爪歯部８と組み合うことで、平板６面上の一方側端部に固定される包装袋１０内の柔軟性物質１０’が押し出される方向と逆方向へ平滑移動させるラチエット機構を構成させるための爪歯車９を設ける。
この爪歯車９は、左右の直立板部Ａの略中央部の所定位置に回転自在で装置され該爪歯車９の回転用とするハンドル２と共用のシャフト２’によつて回転されるものである。
なお、爪歯部８を支えるガイド・レール装置の下側左右の枠部１’及び底板部１”の一部は、爪歯部８と爪歯車９におけるラチエット作動を妨げることなくまた平板６の平滑移動が損なわれることのないように部分切除がなされている。
【００１３】
ガイド・レール装置内における平板６の面上に当接するローラ３は、左右の直立板部Ａの略中央部で平板６の下側左右端部側に設けられる爪歯部８と組み合う爪歯車９のシャフト２’の直角方向で左右の直立板部Ａの所定箇所に回転自在で取り付けられるシャフト３’により回動自在であるが位置が固定される固定堰であるようになされている。
しかし、柔軟性物質１０’収納の包装袋１０の端部部分を一方側の端部に押さえ具７で固定する平板６をガイド・レール装置内に所定の方向で挿入しようとするとき、挿入先とする押さえ具７及び押さえ具７で固定された包装袋１０端部付近の不特定高さ寸法が該ローラ３の固定位置高さ寸法によって妨げられることがなく所定の設定位置まで通過できるようにするため、ローラ３を回転自在とするシャフト３’位置を起点としてこの平板６が挿入される方向と逆方向に該シャフト３’の回転機能を損なうことなく若干の上昇カーブを有する所定長さのガイド溝５を左右の直立板部Ａに構成し、このシャフト３’の回転機能を損なうことなくシャフト３’左右の端部側を平座金４”を介して逸脱することなく連結する操作レバー４を設け、左右の直立板部Ａに設ける支点４’を介してシャフト３’のガイド溝５内移動を可能とすることで所要とするローラ３の高さ寸法が選択できるものである。
なお、該平板６がハンドル２により所定のラチエット機能を介してガイド・レール装置内を所定の方向に平滑移動する際、平板６面上に固定される包装袋１０の収納する柔軟性物質１０’を押し出すことから受ける反力によりガイド溝５内を起点側方向に自転しながら常に押されるローラ３は、押し出し高さ自動調整固定堰ローラ機講として作動することにより平板６面上の柔軟性物質１０’は包装袋１０の開口側からハンドル２の操作により順次押し出されるものである。
【００１４】
このようになっていると、ローラを回転させながら押して移動させ包装袋から柔軟性物質を押し出すような労力を要し、ときにはキッチン・ルームにはいささか不向きともいえる大きな用具を用いる従来方法装置ではなく、包装袋の様態に応じてコンパクトに多様なデザインを可能とし、キッチン・ルームにマッチしかつ効率的で利便性の高い卓上押し出し装置を提供することができるものである。
【産業上の利用可能性】
【００１５】
卓上押し出し装置は、多様化する加工食品及び包装食品において、家庭の食生活環境はは勿論キッチン調理用具及び飲食業や食品加工業などの営業多方面の用途にも応用利用が期待できるものである。
【図面の簡単な説明】
【００１６】
【図１】本発明に係る卓上押し出し装置の上面図である。（実施例１）
【図２】図１に示した卓上押し出し装置の平板６の一方の端部側に設けられた押さえ具７側から見る後面図である。（実施例１）
【図３】図１に示した卓上押し出し装置の平面図である。（実施例１）
【図４】図１に示した卓上押し出し装置における柔軟性物質１０’を収納する包装袋１０の一方の端部を固定する押さえ具７及び平板６の下部に一体構成される爪歯部８部分を示す説明図である。（実施例１）
【符号の説明】
【００１７】
Ａ    直立板部
１    連結部材
１’  枠部
１”  底板部
２    ハンドル
３    ローラ
２’、３’  シャフト
４    操作レバー
４’  支点
４”  平座金
５    ガイド溝
６    平板
７    押さえ具
８    爪歯部
９    爪歯車
１０  包装袋
１０’柔軟性物質
【図１】
2014169118.tif 000003
【図２】
2014169118.tif 000004
【図３】
2014169118.tif 000005
【図４】
2014169118.tif 000006